【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
温度変化に比例する電流を複数の電流パスを介して生成する温度比例電流生成部と、
温度変化に反比例する電流を複数の電流パスを介して生成する温度反比例電流生成部と、
前記温度比例電流生成部の電流及び前記温度反比例電流生成部の電流を用いて内部電圧用基準電圧を生成する内部電圧用基準電圧生成部と、
温度変化に対応する電圧を出力する温度電圧出力部と、
を備えることを特徴とするバンドギャップレファレンス回路。
【請求項２】
前記温度比例電流生成部は、
電源段に共通連結された複数のトランジスタからなる第１トランジスタ群と、
前記第１トランジスタ群のトランジスタの一部と接地段と間に各々連結され、負の温度計数特性を有する第２トランジスタ群と、
前記第２トランジスタ群のトランジスタに印加される電圧を用いて前記第１トランジスタ群を制御する電流制御機と、
を備えることを特徴とする請求項１に記載のバンドギャップレファレンス回路。
【請求項３】
前記第１トランジスタ群のトランジスタは、ソースが電源段に連結され、ゲートに前記電流制御機の出力を入力されることを特徴とする請求項１又は２に記載のバンドギャップレファレンス回路。
【請求項４】
前記第１トランジスタ群のトランジスタは、異なるサイズで設計されることを特徴とする請求項２又は３に記載のバンドギャップレファレンス回路。
【請求項５】
前記第２トランジスタ群のトランジスタは、ダイオードとして動作し、前記ダイオードの両端電圧が負の温度計数特性を有することを特徴とする請求項２又は４に記載のバンドギャップレファレンス回路。
【請求項６】
前記温度反比例電流生成部は、
電源段に共通連結された複数のトランジスタと、
前記複数のトランジスタのうち１つを介して流れる電流による電圧及び前記温度比例電流生成部の内部電圧を用いて前記複数のトランジスタを制御する電流制御機と、
を備えることを特徴とする請求項１又は５に記載のバンドギャップレファレンス回路。
【請求項７】
前記複数のトランジスタは、異なるサイズで設計され、前記サイズは、所定の倍率を有することを特徴とする請求項６に記載のバンドギャップレファレンス回路。
【請求項８】
前記内部電圧用基準電圧生成部は、
前記温度比例電流生成部の電流パス及び前記温度反比例電流生成部の電流パスのうち各々１つのパスを介して流れる合成電流が温度によって変化する２つの電流パスに共通連結された抵抗素子で構成されることを特徴とする請求項１又は７に記載のバンドギャップレファレンス回路。
【請求項９】
前記２つの電流パスのうち温度反比例電流生成部の電流パスの単位電流量変動幅が、前記温度比例電流生成部の電流パスの単位電流量変動幅より大きいことを特徴とする請求項８に記載のバンドギャップレファレンス回路。
【請求項１０】
前記温度電圧出力部は、
前記温度電圧を出力するノードと、
前記ノードと電源段との間に連結されたトランジスタと、
前記ノードと接地段との間に連結された分配抵抗と、
前記分配抵抗を介して分配された電圧及び前記温度比例電流生成部の内部電圧を用いて前記トランジスタを制御する電流制御機と、
を備えることを特徴とする請求項１又は９に記載のバンドギャップレファレンス回路。
【請求項１１】
前記温度比例電流生成部の電流及び前記温度反比例電流生成部の電流を用いて温度情報用基準電圧を生成する温度情報用基準電圧生成部と、
前記温度情報用基準電圧を用いて前記温度電圧の変動幅を制限する範囲制限用基準電圧を生成する範囲制限用基準電圧生成部と、
をさらに備えることを特徴とする請求項１又は１０に記載のバンドギャップレファレンス回路。
【請求項１２】
前記温度情報用基準電圧生成部は、
前記温度比例電流生成部の電流パス及び前記温度反比例電流生成部の電流パスのうち各々１つのパスを介して流れる合成電流が温度に関係なく一定した２つの電流パスに共通連結された抵抗素子で構成されることを特徴とする請求項１１に記載のバンドギャップレファレンス回路。
【請求項１３】
前記２つの電流パスのうち温度反比例電流生成部の電流パスの単位電流量変動幅と前記温度比例電流生成部の電流パスの単位電流量変動幅とが同一であることを特徴とする請求項１２に記載のバンドギャップレファレンス回路。
【請求項１４】
前記範囲制限用基準電圧生成部は、
電源段に連結された第１トランジスタと、
前記第１トランジスタと接地段との間に連結された第１分配抵抗と、
前記第１分配抵抗の分配電圧及び前記温度情報用基準電圧を用いて前記第１トランジスタを制御する第１電流制御機と、
前記電源段に連結された第２トランジスタと、
前記第２トランジスタと接地段との間に連結された第２分配抵抗と、
前記第１トランジスタと前記第１分配抵抗との連結ノード電圧及び前記第２分配抵抗の分配電圧を用いて前記第２トランジスタを制御する第２電流制御機と、を備えることを特徴とする請求項１１又は１３に記載のバンドギャップレファレンス回路。
【請求項１５】
前記第１分配抵抗及び第２分配抵抗は、各々少なくとも１つの可変抵抗を備えることを特徴とする請求項１４に記載のバンドギャップレファレンス回路。
【請求項１６】
前記第１電流制御機及び第２電流制御機は、差動増幅器であることを特徴とする請求項１４又は１５に記載のバンドギャップレファレンス回路。
【請求項１７】
前記電流制御機は、差動増幅器であることを特徴とする請求項２、６、１０又は１６のいずれかに記載のバンドギャップレファレンス回路。
【請求項１８】
複数の電流パスを介して温度変化に比例する電流を生成する温度比例電流生成部と、
複数の電流パスを介して温度変化に反比例する電流を生成する温度反比例電流生成部と、
前記温度比例電流生成部の電流パスのうち少なくとも１つ及び前記温度反比例電流生成部の電流パスのうち少なくとも１つを介して流れる電流を組み合わせて温度変化に関係なく一定した第１基準電圧に変換する第１基準電圧生成部と、
前記温度比例電流生成部の電流パスのうち少なくとも１つ及び前記温度反比例電流生成部の電流パスのうち少なくとも１つを介して流れる電流を組み合わせて温度変化によって変化する第２基準電圧に変換する第２基準電圧生成部と、
を備えることを特徴とするバンドギャップレファレンス回路。
【請求項１９】
前記温度比例電流生成部は、
電源段に共通連結され、前記複数の電流パスを形成する複数のトランジスタからなる第１トランジスタ群と、
前記第１トランジスタ群のトランジスタの一部と接地段との間に各々連結され、負の温度計数特性を有する第２トランジスタ群と、
前記第２トランジスタ群のトランジスタに印加された電圧を用いて前記第１トランジスタ群を制御する電流制御機と、
を備えることを特徴とする請求項１８に記載のバンドギャップレファレンス回路。
【請求項２０】
前記温度反比例電流生成部は、
電源段に共通連結され、前記複数の電流パスを形成する複数のトランジスタと、
前記複数のトランジスタのうち１つを介して流れる電流による電圧及び前記温度比例電流生成部の内部電圧を用いて前記複数のトランジスタを制御する電流制御機と、
を備えることを特徴とする請求項１８又は１９に記載のバンドギャップレファレンス回路。
【請求項２１】
前記第１基準電圧生成部は、
前記温度比例電流生成部の電流パス及び前記温度反比例電流生成部の電流パスのうち各々１つのパスを介して流れる合成電流が温度によって変化する２つの電流パスに共通連結された抵抗素子で構成されることを特徴とする請求項１８又は２０に記載のバンドギャップレファレンス回路。
【請求項２２】
前記第２基準電圧生成部は、
前記温度比例電流生成部の電流パス及び前記温度反比例電流生成部の電流パスのうち各々１つのパスを介して流れる合成電流が温度に関係なく一定した２つの電流パスに共通連結された抵抗素子で構成されることを特徴とする請求項１８又は２１に記載のバンドギャップレファレンス回路。
【請求項２３】
バンドギャップ特性を用いて温度変化によって変化する内部電圧用基準電圧及び半導体メモリの内部温度変化に相当するアナログ温度電圧を生成して出力するバンドギャップレファレンス回路と、
第１制御信号によって動作して前記アナログ温度電圧をデジタル温度情報に変換し、第２制御信号によって前記デジタル温度情報が初期化されるアナログ／デジタル変換手段と、
少なくとも１つの動作命令によって前記第１制御信号を出力する制御手段と、
を備えるバンドギャップレファレンス回路を利用した温度情報出力装置。
【請求項２４】
前記バンドギャップレファレンス回路は、
温度変化に比例する電流を複数の電流パスを介して生成する温度比例電流生成部と、
温度変化に反比例する電流を複数の電流パスを介して生成する温度反比例電流生成部と、
前記温度比例電流生成部の電流及び前記温度反比例電流生成部の電流を用いて内部電圧用基準電圧を生成する内部電圧用基準電圧生成部と、
温度変化に対応する電圧を出力する温度電圧出力部と、
を備えることを特徴とする請求項２３に記載のバンドギャップレファレンス回路を利用した温度情報出力装置。
【請求項２５】
前記温度比例電流生成部は、
電源段に共通連結された複数のトランジスタからなる第１トランジスタ群と、
前記第１トランジスタ群のトランジスタの一部と接地段との間に各々連結され、負の温度計数特性を有する第２トランジスタ群と、
前記第２トランジスタ群のトランジスタに印加される電圧を用いて前記第１トランジスタ群を制御する電流制御機と、
を備えることを特徴とする請求項２４に記載のバンドギャップレファレンス回路を利用した温度情報出力装置。
【請求項２６】
前記温度反比例電流生成部は、
電源段に共通連結された複数のトランジスタと、
前記複数のトランジスタのうち１つを介して流れる電流による電圧及び前記温度比例電流生成部の内部電圧を用いて前記複数のトランジスタを制御する電流制御機と、
を備えることを特徴とする請求項２４又は２５に記載のバンドギャップレファレンス回路を利用した温度情報出力装置。
【請求項２７】
内部電圧用基準電圧生成部は、
前記温度比例電流生成部の電流パス及び前記温度反比例電流生成部の電流パスのうち各々１つのパスを介して流れる合成電流が温度によって変化する２つの電流パスに共通連結された抵抗素子で構成されることを特徴とする請求項２４又は２６に記載のバンドギャップレファレンス回路を利用した温度情報出力装置。
【請求項２８】
前記温度電圧出力部は、
前記温度電圧を出力するノードと、
前記ノードと電源段との間に連結されたトランジスタと、
前記ノードと接地段との間に連結された分配抵抗と、
前記分配抵抗を介して分配された電圧及び前記温度比例電流生成部の内部電圧を用いて前記トランジスタを制御する電流制御機と、
を備えることを特徴とする請求項２４又は２７に記載のバンドギャップレファレンス回路を利用した温度情報出力装置。
【請求項２９】
前記アナログ／デジタル変換手段は、カウンターを備え、前記第２制御信号によって前記カウンターから出力されるデジタル温度情報が初期化されることを特徴とする請求項２３又は２８に記載のバンドギャップレファレンス回路を利用した温度情報出力装置。
【請求項３０】
前記第２制御信号は、パワーアップ信号であることを特徴とする請求項２３又は２９に記載のバンドギャップレファレンス回路を利用した温度情報出力装置。